(57)【要約】【課題】液晶パネルの基板間のセルギャップの不均一より生じる、黒ムラ等の表示ムラの解消を図る「画像表示装置」を提供することである。【解決手段】液晶パネル１３を含む画像表示部１５を有する画像表示装置１１であって、液晶パネル１３の表面の所定領域を押圧する押圧機構１８を有する構成となる。これにより、押圧機構１８により液晶パネル１３の表面の所定領域を押圧することで、液晶パネル１３のセルギャップは、フォトスペーサの高さで均一となり、その結果、黒ムラ等の表示ムラの解消を図ることができる。【選択図】図１
2016071154.tif 000002
【特許請求の範囲】
【請求項１】
液晶パネルを含む画像表示部を有する画像表示装置であって、
前記液晶パネルの表面の所定領域を押圧する押圧機構を有する画像表示装置。
【請求項２】
前記所定領域は、前記液晶パネルの中央部である請求項１に記載の画像表示装置。
【請求項３】
前記画像表示部を収納する収納部と、前記液晶パネルを作動させる作動位置と前記収納部に収納させる収納位置とに前記画像表示部を移動させる移動機構とを有し、前記押圧機構は、前記画像表示部が前記収納部に収納中又は前記画像表示部が前記移動機構による移動中に、前記液晶パネルの表面を押圧する請求項１又は２に記載の画像表示装置。
【請求項４】
前記押圧機構は、前記液晶パネルの表面上の一部を押圧する押圧部材と、該押圧部材を前記液晶パネルに押し付ける押圧作動部とを含み、前記移動機構による前記画像表示部の収納位置への移動時に、前記画像表示部による前記押圧作動部への作用により、前記押圧部材により前記液晶パネルの表面を押圧させる請求項１乃至３のいずれかに記載の画像表示装置。
【請求項５】
前記押圧機構は、前記液晶パネルの表面上の一部を押圧する押圧部材と、該押圧部材を前記液晶パネルに押し付ける押圧作動部とを含み、前記移動機構による前記画像表示部の移動中に、前記画像表示部と前記押圧作動部との係合により、前記押圧部材を前記液晶パネルの表面に押圧させる請求項１乃至４のいずれかに記載の画像表示装置。
【請求項６】
液晶パネルを有する画像表示装置の表示ムラ防止方法であって、
前記液晶パネルの表面の所定領域を押圧する画像表示装置の表示ムラ防止方法。
【請求項７】
前記所定領域は、前記液晶パネルの中央部である請求項６に記載の画像表示装置の表示ムラ防止方法。
【請求項８】
前記液晶パネルを含む画像表示部を収納する収納部の所定位置に前記画像表示部を収納するときに、前記液晶パネルの表面の所定領域を押圧する請求項６又は７に記載の画像表示装置の表示ムラ防止方法。
【請求項９】
前記液晶パネルを含む画像表示部を収納する収納部の所定位置と前記液晶パネルを作動させる作動位置との移動時に、前記液晶パネルの表面の所定領域を押圧する請求項６又は７に記載の画像表示装置の表示ムラ防止方法。
【発明の詳細な説明】
【技術分野】
【０００１】
本発明は、液晶パネルの表示ムラの低減を図る画像表示装置及び表示ムラの低減方法に関する。
【背景技術】
【０００２】
昨今、車載用表示装置においても、視野角特性に優れたＬＣＤ表示モード（ＩＰＳ表示モード）の画像表示装置が採用され始めている。このＩＰＳ表示モードにおけるＩＰＳ液晶パネルでは、電圧ＯＦＦ時には液晶分子は基板面に略水平に配向させている。そして、ＩＰＳ液晶パネルは、正の誘電異方性を有し、複屈折（方向により屈折率が異なること）を持つ液晶を、あらかじめ一定方向に配向（光学的に単結晶化）させておき、電圧印加によって、初期の光学軸（屈折率の大きな軸）を変え、この状態の変化を偏光板で読み出すものである。
【０００３】
ところで、昨今の液晶パネルでは、広視野角、高速レスポンスをねらって、パネルギャップを薄く、液晶材料の複屈折異方性（ｎｅ−ｎｏ）＝Δｎを小さくする傾向が強くなっており、特に、複屈折位相差（リタデーション：Δｎとパネルギャップ（＝ｄ）との積）が小さくなる傾向が著しい。その結果、液晶パネルの複屈折位相差（Δｎ×ｄ）の値は、パネルギャップ（＝ｄ）の変動、パネル基板のたわみ、液晶分子の面内配向方向のバラツキ、液晶分子のプレティルト角（基板面からの立ち上がり角）等に非常に影響を受け易くなっている。例えば、上記したＩＰＳ液晶パネルは、従来のＴＮ方式やＶＡ方式の液晶パネルよりもセルギャップが狭く、そのため面内でのセルギャップの変化が表示ムラ（例えば黒い画面上の光漏れである黒ムラ、輝度ムラ）となって表れやすいため、ＰＣ用、ＴＶ用のＬＣＤには外力が加わらないようにＬＣＤを固定しているが、タッチパネルを使用する場合には、タッチパネルをＬＣＤに貼り合わせることが多く、タッチ操作によりＬＣＤ面に外力が加わることになる。
【０００４】
上記した基板間の距離の不均一となるセルギャップの変動によって生じる表示ムラを解消するために、液晶表示装置のリペア方法及びリペア装置が提案されている（特許文献１参照）。
【先行技術文献】
【特許文献】
【０００５】
【特許文献１】特開平１１−２６４９８６号公報
【発明の概要】
【発明が解決しようとする課題】
【０００６】
上記特許文献１に記載の液晶表示装置のリペア方法及びリペア装置は、液晶表示を構成する対向配置された２枚の基板間の間隔が不均一となるギャップ変動を起因とする表示ムラが発生した場合に、当該表示ムラに対して所定周波数の振動を与え、表示ムラの縮小又は解消を図るものである。
【０００７】
上記リペア装置によって液晶画面上の表示ムラの解消を図ることが期待されるが、表示ムラに振動を与えるための振動発生機構と、さらに所定の周波数を発生させるために振動発生回路等が必要となり、装置構成が複雑になるばかりでなく、コスト面も増大する。
【０００８】
本発明は、液晶パネルの基板間のセルギャップの不均一より生じる、黒ムラ等の表示ムラの解消を図る画像表示装置、及び画像表示装置の表示ムラ防止方法の提供を目的とする。
【課題を解決するための手段】
【０００９】
上記課題を解決するために、本発明に係る画像表示装置は、液晶パネルを含む画像表示部を有する画像表示装置であって、前記液晶パネルの表面の所定領域を押圧する押圧機構を有する構成となる。
【００１０】
このような構成によれば、液晶パネルにおける基板間のセルギャップの不均一により、黒ムラ等の表示ムラが発生した場合に、押圧機構により液晶パネルの表面の所定領域を押圧することで、液晶パネルのセルギャップは、セルギャップに設けられたフォトスペーサの高さで均一となり、その結果、黒ムラ等の表示ムラの解消を図ることができる。したがって、セルギャップがフォトスペーサの高さで均一となるように、所定の力で押圧する。
【００１１】
本発明に係る画像表示装置において、前記所定領域は、前記液晶パネルの中央部である構成とすることができる。
【００１２】
このような構成によれば、液晶パネルの中央部を押圧することで、中央部から均等に周囲に応力が伝わり、これによりセルギャップがフォトスペーサの高さで均一となり、その結果、黒ムラ等の表示ムラの解消を図ることができる。
【００１３】
本発明に係る画像表示装置において、前記画像表示部を収納する収納部と、前記液晶パネルを作動させる作動位置と前記収納部に収納させる収納位置とに前記画像表示部を移動させる移動機構とを有し、前記押圧機構は、前記画像表示部が前記収納部に収納中又は前記画像表示部が前記移動機構による移動中に、前記液晶パネルの表面を押圧する構成とすることができる。
【００１４】
このような構成によれば、押圧機構は、画像表示部が収納部に収納中又は画像表示部が移動機構による移動中に、液晶パネルの表面を押圧するので、液晶パネルを作動する作動位置に液晶パネルが移動したときは、セルギャップが均一の状態に戻っているので、その結果、黒ムラ等の表示ムラが解消された画像表示部を提供することができる。
【００１５】
本発明に係る画像表示装置において、前記押圧機構は、前記液晶パネルの表面上の一部を押圧する押圧部材と、該押圧部材を前記液晶パネルに押し付ける押圧作動部とを含み、前記移動機構による前記画像表示部の収納位置への移動時に、前記画像表示部による前記押圧作動部への作用により、前記押圧部材により前記液晶パネルの表面を押圧させる構成とすることができる。
【００１６】
このような構成によれば、画像表示部が収納位置へ移動したときに、画像表示部の押圧作動部への作用によって押圧部材が液晶パネルの表面上の一部を押圧するので、簡便かつ確実な装置構成によりセルギャップの不均一を解消し、黒ムラ等の表示ムラの解消を図ることができる。
【００１７】
本発明に係る表示装置において、前記押圧機構は、前記液晶パネルの表面上の一部を押圧する押圧部材と、該押圧部材を前記液晶パネルに押し付ける押圧作動部とを含み、前記移動機構による前記画像表示部の移動中に、前記画像表示部と前記押圧作動部との係合により、前記押圧部材を前記液晶パネルの表面に押圧させる構成とすることができる。
【００１８】
このような構成によれば、移動機構による画像表示部の移動中に、画像表示部と押圧作動部との係合により、押圧部材を液晶パネルの表面に押圧させるので、簡便かつ確実な装置構成によりセルギャップの不均一を解消し、黒ムラ等の表示ムラの解消を図ることができる。
【００１９】
本発明に係る画像表示装置の表示ムラ防止方法は、液晶パネルを有する画像表示装置の表示ムラ防止方法であって、前記液晶パネルの表面の所定領域を押圧する構成となる。
【００２０】
このような構成により、画面表示装置における液晶パネルの表面の所定領域を押圧することで、液晶パネルのセルギャップは、セルギャップに設けられたフォトスペーサの高さで均一となり、その結果、黒ムラ等の表示ムラの解消を図ることができる。
【００２１】
本発明に係る画像表示装置の表示ムラ防止方法は、前記所定領域は、前記液晶パネルの中央部である構成とすることができる。
【００２２】
本発明に係る画像表示装置の表示ムラ防止方法は、前記液晶パネルを含む画像表示部を収納する収納部の所定位置に前記画像表示部を収納するときに、前記液晶パネルの表面の所定領域を押圧する構成とすることができる。
【００２３】
本発明に係る画像表示装置の表示ムラ防止方法は、前記液晶パネルを含む画像表示部を収納する収納部の所定位置と前記液晶パネルを作動させる作動位置との移動時に、前記液晶パネルの表面の所定領域を押圧する構成とすることができる。
【発明の効果】
【００２４】
本発明に係る画像表示装置及び画像表示装置の表示ムラ防止方法によれば、液晶パネルの表面の所定領域を押圧することで、液晶パネルの基板間のセルギャップの不均一より生じる、黒ムラ等の表示ムラの低減を図ることができる。
【図面の簡単な説明】
【００２５】
【図１】本発明の第１実施形態に係る画像表示装置の断面模式図である。
【図２】図１に示す画像表示装置の動作を説明する動作説明図である。
【図３】本発明の第２実施形態に係る画像表示装置の断面模式図である。
【図４】図３に示す画像表示装置の動作を説明する動作説明図である。
【図５Ａ】液晶パネルにおける水平（平行）配向における透過率のムラ要因の説明図である。
【図５Ｂ】液晶パネルが押圧されたことで発生する表示ムラのメカニズムの説明図である。
【図６】液晶パネルの中央部を押圧することでセルギャップの均一化となることの説明図である。
【図７Ａ】セルギャップの不均一によって生じた表示ムラ（黒ムラ）を有する液晶パネルの画面図。
【図７Ｂ】中央部の押圧により表示ムラ（黒ムラ）を減少させた液晶パネルの画面図である。
【発明を実施するための形態】
【００２６】
液晶画面に生じる表示ムラについて、その発生のメカニズムについて、水平（平行）配向における透過率のムラ要因と併せて以下に説明する。
【００２７】
図５Ａに示すように、液晶パネル１００の基板１０１ａと基板１０１ｂとの間隔であるセルギャップｄに液晶層１０２が形成されている。なお、図５Ａは一例としてＩＰＳ液晶の場合を示すもので、これに限定するものではない。基板１０１ａは、液晶層１０２側に設けたカラーフィルター１０５と、液晶層１０２側とは反対の側に設けたガラス基板１０６とで構成されている。基板１０１ｂは、液晶層１０２側に設けたＴＦＴ（電極）１０７と、液晶層１０２側とは反対の側に設けたガラス基板１０８とで構成されている。なお、基板１０１ａ、１０１ｂの液晶層１０２側とは反対側には、それぞれ偏光板（不図示）が設けられている。
【００２８】
図５Ａにおいて、図左側の液晶層１０２の中を矢印１２１ａ方向に進む光については、液晶層１０２に含まれる各液晶１０２ａが水平方向に配置されているので、屈折率はｎ０で均一となり、光学厚さはｎ０×ｄとなる。これに対して、図の右側の液晶層１０２では、水平方向に配置される液晶１０２ａと、水平方向に対してティルト角αの傾きを有する液晶１０２ｂとが混在している。そのため、図５Ａの右側の液晶層１０２の中を矢印１２１ｂ方向に進む光は、ティルト角αの傾きを有する、いわゆる配向ムラ部においては、屈折率はｎ０ではなく、ｃｏｓαの成分が入ることになり、その結果ｎ０よりも小さくなる。基板に歪みがある場合も上記と同様のことが起きると予想される。
【００２９】
図５Ｂにおいて、液晶画面が外力によって生じる黒ムラ等の表示ムラの発生するメカニズムの概略を説明する。基板等の構造は図５Ａと同様であることから、同じ構成要素には同じ名称、符号を付す。図５Ｂに示すように、液晶画面に外力が及ぼされた結果、図の右側の部分では基板１０１ａと１０１ｂとの間のセルギャップｄ１は正常値であるが、図の左側の部分ではセルギャップｄ２（＞ｄ１）となり、この部分の液晶層１０２の厚さも拡大している。このため、図の右側の液晶層１０２を矢印１２１ｃの方向に進む光に対しては液晶層１０２の光学厚さ（ｎ０×ｄ１）は正常であるが、図の左側の液晶層１０２を矢印１２１ｅの方向に進む光に対しては液晶層１０２にセルギャップのムラ部が生じ、その光学厚さ（ｎ０×ｄ２）が拡大する。また、図の中央の液晶層１０２を矢印１２１ｄの方向に進む光に対しては、液晶層１０２に含まれる液晶１０２ｂが水平方向に対してティルト角αの傾きを有するため、上述したように屈折率にｃｏｓαの成分が入ることになり、その結果ｎ０よりも小さくなる。このように、液晶画面が外力の作用によりセルギャップ間の不均一が生じると、液晶層の一部で屈折率、さらには光学厚さが異なることになり、この結果、液晶画面上では黒ムラを含む表示ムラ等が発生することになる。
【００３０】
以上の液晶画面上の表示ムラ発生のメカニズムを検討の上、本件発明者は本件発明を完成させたものである。以下、本発明の実施の形態について図面を用いて説明する。
【００３１】
本発明の第１の実施の形態に係る画像表示装置は、図１に示すように構成される。
【００３２】
図１において、画像表示装置１１は、液晶パネル１３を含む画像表示部１５と、画像表示部１５をその非作動時に収納する収納部１７と、収納部１７での収納位置から作動時の作動位置との間で画像表示部１５を昇降移動させる移動機構（不図示）と、表示画面の液晶パネル１３の画面上を押圧する押圧機構１８とを有する。収納部１７は、略直方体の箱体であり、画像表示部１５をその内部に収納可能とすべく、天井面に開口部１７ａが設けられている。
【００３３】
液晶パネル１３の表面には、表面保護のためのガラス板１３ａが設けられている。したがって、液晶パネル１３の表面の押圧は、ガラス板１３ａを介して押圧することになる。この液晶パネル１３を含む画像表示部１５は、上下方向に昇降するタイプのもので、液晶パネル１３の非作動時には収納部１７の収納位置に置かれ、作動時には収納部１７の上部開口部１７ａから液晶パネル１３を露出すべく作動位置まで移動機構が上昇させる（図２参照）。液晶パネル１３の作動を終了すると、移動機構は画像表示部１５を収納部１７の収納位置まで下降させる。移動機構は、例えば、駆動モータ（不図示）とベルト等の伝達部（不図示）とを有する機構から成るが、これに限定されるものではない。
【００３４】
押圧機構１８は、収納部１７の内部に設けられた断面形状が全体として略Ｌ字形状で屈曲部付近に設けた回動可能な回動部材２１と、回動部材２１を回動軸２０で回動可能に設置する枢設部材２５と、収納部１７の内側の側壁１７ｂと回動部材２１とに両端がそれぞれ接続される引張バネ２６とで構成される。
【００３５】
回動部材２１は、その一端部である、収納位置に配置された画像表示部１５を保持する底部２１ａと、その他端部で液晶パネル１３の表面に触れて押圧する断面が曲線形状の押圧部２１ｂと、底部２１ａと押圧部２１ｂとの間でこれらを結合する胴部２１ｃとで構成されている。また、胴部２１ｃと底部２１ａとの接続附近には、回動軸２０が貫設される回動孔２８が形成されている。
【００３６】
引張バネ２６は、収納部１７の内側の側壁１７ｂと、回動部材２１の胴部２１ｃとに接続され、回動部材２１を側壁１７ｂ側に引き寄せる方向に弾性力を及ぼしている。そして、画像表示部１５が収納部１７の収納位置にまで降下したときに、回動部材２１の底部２１ａを押すように載置することで、回動部材２１は引張バネ２６の弾性力に抗して時計回りに回動し、その結果、押圧部２１ｂが液晶パネル１３の表面を押圧する構造となっている。なお、押圧部２１ｂが押圧部材に相当し、底部４１ａ、胴部４１ｃ、枢設部材４２、回動軸４０及び引張バネ４３が押圧作動部を構成する。
【００３７】
次に、画像表示装置１１の収納時、作動時及び移動時における液晶パネル１３の表面の押圧との動作の関係について、図２を参照して説明する。
【００３８】
図２に示すように、画像表示装置１１の画像表示部１５が収納部１７の収納位置に収納された収納状態（Ａ）の時は、画像表示部１５がその自重により回動部材２１の底部２１ａを押圧するように載置されているので、回動部材２１は反時計回りに働く引張バネ２６の弾性力に抗して、回動軸２０を回動の中心にして時計回りに回動する力の作用を受ける。この時計回りに回動する力の作用により回動部材２１の押圧部２１ｂの曲面部の頂部が液晶パネル１３の所定領域である中心部の領域を押圧することになる。この画面の中央部の領域への押圧力は、後述するように、画面の周囲に応力が及び、基板間の一方の基板に設けたフォトスペーサ（不図示）が他方の基板に接する程度の力となるように設定されており、これにより、セルギャップ（不図示）が均一の状態に復元可能となる（図６及び後述参照）。
【００３９】
次に、画像表示部１５が作動位置に向けて上昇を開始する移動状態（Ｂ）となると、画像表示部１５が底部２１ａから離れることで、回動部材２１は引張バネ２６の弾性力により反時計回りに回動し、その結果、押圧部２１ｂは液晶パネル１３から離れ、押圧が解除される。
【００４０】
図２の作動状態（Ｃ）に示すように、画像表示部１５が作動位置に達したときは、既に液晶パネル１３への押圧は解除されており、液晶パネル１３の作動に支障はなく、また押圧により表示ムラの軽減がなされているので、液晶パネルを最適の状態で作動、表示することができる。
【００４１】
次に、図６を参照して、液晶パネルの画面の所定領域である、中央部の領域を押圧することにより表示ムラが軽減し、初期の画面状態に戻るメカニズムについて説明する。
【００４２】
図６に示すように、液晶パネル１３が初期状態（Ａ）のときには、基板５１ａと基板５１ｂとの間に形成されるセルギャップｄは均一であり、液晶層５２はその端部をシール部材５４でシールされている。また、液晶層５２には、セルギャップｄを維持するためのフォトスペーサ５５が、基板５１ｂとは所定の間隙を有した状態で基板５１ａに設けられている。なお、基板５１ａは、液晶層５２側のカラーフィルター（不図示）と、液晶層５２側とは反対側のガラス基板（不図示）とで構成されている。また、基板５１ｂは、液晶層５２側のＴＦＴ（不図示）と、液晶層５２とは反対の側のガラス基板（不図示）とで構成されている。さらに、基板５１ａ、５１ｂにはそれぞれ液晶層５２側とは反対側に偏光板（不図示）が積層されている。
【００４３】
液晶パネル１３の表面を清掃等により拭くと、液晶が偏った、セルギャップｄが不均一の状態（Ｂ）になり、液晶パネルの画面には黒ムラ等の表示ムラが発生する。セルギャップｄの不均一が液晶の偏り等を招き、図５Ａ、図５Ｂを参照して説明したように、屈折率や光学厚さの変動が、光漏れ、輝度変化等を生じ、これが表示ムラとなって表れる。
【００４４】
セルギャップｄの不均一により表示ムラが発生した液晶パネル１３の表面の所定領域、例えば中央部の領域を押圧機構１８の回動部材２１の押圧部２１ｂ（図１参照）により押圧することで、中央部を押圧する状態（Ｃ）のように、フォトスペーサ５５が基板５１ｂに接触することになり、セルギャップｄはフォトスペーサ５５の高さの値において均一となる。これにより表示ムラを低減させ、さらに初期状態（Ａ）へと回復させることが可能となる。
【００４５】
このように、液晶画面を拭く等の清掃による所定の力によって、セルギャップｄの不一致により表示ムラが生じた場合に、例えば、画面の中央部のような所定の領域を押圧することで、フォトスペーサ５５の高さの値においてセルギャップｄを均一化することで表示ムラの低減、解消を図ることができる。なお、押圧機構１８に含まれる回動部材２１の押圧部２１ｂにより液晶パネル１３を押圧したが、これに限定するものでなく、他の部材により押圧してもよい。
【００４６】
次に、上記した画像表示装置１１の液晶パネル１３の画面の中央部の所定領域を押圧したときの表示ムラ（黒ムラ）の低減の状況を図７Ａ及び図７Ｂを参照して説明する。
【００４７】
図７Ａに示すように、液晶画面を拭く清掃行為等によるセルギャップの不均一によって、液晶画面には黒ムラの発生が一見で把握できる（特に、左下部、左上部）。このような黒ムラ（表示ムラ）が発生した液晶画面を上述したように、画面中央部の所定領域を押圧（１０Ｎで１０ｓｅｃ）してフォトスペーサが向かい合う基板に底付きするように押し、セルギャップをスペーサの高さにして均一化を図ったところ、図７Ｂに示すように、黒ムラの低減が顕著となり、液晶パネルの表示画面表示を初期状態に回復することができた。なお、黒表示時の輝度データを基に、座標毎にｘ方向、ｙ方向の範囲での輝度変化の傾きを計算し、その傾きの大きさにより黒ムラの良否を判定することができる。
【００４８】
次に、本発明の第２の実施形態に係る画像表示装置について、図３を参照して説明する。なお、第１の実施形態に係る画像表示装置３１と共通する構成部分については、同一名称及び同一符号を付して説明する。また、第１の実施形態と相違する点を中心に説明し、共通する部分の説明は簡略化する。
【００４９】
図３において、本実施形態の画像表示装置３１は、第１の実施形態と押圧機構の構造が相違する。また、画像表示部３５の下部には係合突起部３５ａが設けられている点も相違する。
【００５０】
図３に示すように、押圧機構３６は、略Ｌ字形状の回動部材３７と、回動部材３７を回動軸３８により回動可能に枢設する、収納部１７の内側の側壁１７ｂに設けられた枢設部材３９と、圧縮バネ４１とで構成される。回動部材３７は、画像表示部３５の係合突起部３５ａと係合する係合突起３７ａ１が先端に形成された底部３７ａと、液晶パネル１３の表面に触れて押圧する断面が曲線形状の押圧部３７ｂと、底部３７ａと押圧部３７ｂとの間でこれらを結合する胴部３７ｃとで構成されている。また、胴部３７ｃは枢設部３９に枢設されており、これにより回動部材３７が回動可能となっている。
【００５１】
圧縮バネ４１は、収納部１７の内側の側壁１７ｂと、回動部材３７の胴部３７ｃとに接続された状態で、後述するように、画像表示部３５の昇降動作による画像表示部３５の係合突起部３５ａと底部３７ａの係合突起３７ａ１との係合により、回動部材３７が圧縮バネ４１を圧縮して回動し、その結果、押圧部３７ｂが液晶パネル１３の表面を押圧する構造となっている。なお、押圧部３７ｂが押圧部材に該当し、底部３７ａ、胴部３７ｃ、枢設部材３９、回動軸３８及び圧縮バネ４１が押圧作動部を構成する。
【００５２】
次に、画像表示装置３１の収納時、作動時及び移動時における液晶パネル１３の表面の押圧との動作の関係について、図４を参照して説明する。
【００５３】
図４に示すように、画像表示装置３１の画像表示部３５が収納部１７の収納位置に収納された収納状態（Ａ）の時は、押圧機構３６による液晶パネル１３への押圧は行われていない。すなわち、押圧機構３６の回動部材３７は圧縮バネ４１による弾性力が作用されていない状態で、押圧部３７ｂが液晶パネル１３の表面から離れた位置に保持されているため、液晶パネル１３を押圧していない状態である。
【００５４】
次に、画像表示部３５が作動位置に向けて上昇を開始する移動状態（Ｂ）となると、画像表示部３５の係合突起部３５ａと回動部材３７の底部３７ａの係合突起３７ａ１とが係合し、圧縮バネ４１を圧縮しつつ回動部材３７が回動軸３８を中心にして時計回りに回動する。この時計回りに回動する力の作用により回動部材３７の押圧部３７ｂの曲面部の頂部が液晶パネル１３の所定領域である中心部の領域を押圧することになる。この画面の中央部の領域への押圧力は、後述するように、画面の周囲に応力が及び、基板間の一方の基板に設けたフォトスペーサが他方の基板に接する程度の力となるように設定されており、これにより、セルギャップが均一の状態に復元可能となる（図６参照）。
【００５５】
更に、画面表示部３５が移動状態（Ｂ）から作動状態（Ｃ）に向かうと、上記の係合突起部３５ａと底部３７ａの係合突起３７ａ１との係合が解除され、圧縮バネ４１の弾性力により回動部材３７は反時計回りに回動し、押圧部３７ｂによる液晶パネル１３の表面に対する押圧は解除される。
【００５６】
図４の作動状態（Ｃ）に示すように、画像表示部３５が作動位置に達したときは、既に液晶パネル１３への押圧は解除されており、液晶パネル１３の作動に支障はなく、押圧により表示ムラの軽減がなされているので、液晶パネルを最適の状態で表示することができる。
【産業上の利用可能性】
【００５７】
以上、説明したように、本発明に係る画像表示装置によれば、液晶パネルの表面の所定領域を押圧することで、液晶パネルにおける基板間のセルギャップの不均一より生じる、黒ムラ等の表示ムラの低減を図ることができるので、液晶パネルの表示ムラの低減を図る画像表示装置として有用である。
【符号の説明】
【００５８】
１１    画像表示装置
１３    液晶パネル
１５    画像表示部
１８    押圧機構
２０    回動軸
２１    回動部材
２１ａ  底部
２１ｂ  押圧部
２１ｃ  胴部
２５    枢設部材
２６    引張バネ
３１    画像表示装置
３５    画像表示部
３５ａ  係合突起部
３６    押圧機構
３７    回動部材
３７ａ  底部
３７ａ１  係合突起
３７ｂ  押圧部
３７ｃ  胴部
３９    枢設部材
４１    圧縮バネ
【図１】
2016071154.tif 000003
【図２】
2016071154.tif 000004
【図３】
2016071154.tif 000005
【図４】
2016071154.tif 000006
【図５Ａ】
2016071154.tif 000007
【図５Ｂ】
2016071154.tif 000008
【図６】
2016071154.tif 000009
【図７Ａ】
2016071154.tif 000010
【図７Ｂ】
2016071154.tif 000011